(57)【要約】      （修正有）【課題】診療データを活用し有益な情報を提供する医療機関情報提供装置、医療機関情報提供装置の制御方法及びプログラムを提供する。【解決手段】医療機関情報提供システム３００は、医療機関の情報を提供可能な医療機関情報提供システムであって、医療機関特定情報と、前記医療機関が行った診療に関する診療実績情報と、前記診療実績情報に基づき算出された前記医療機関の傾向を示す指標情報と、を含む医療機関情報を保持する医療機関情報保持部と、前記医療機関情報の閲覧要求を受け付ける閲覧要求受付部と、前記医療機関情報保持部に保持されている前記医療機関情報の中から前記閲覧要求に基づいて特定される情報を前記閲覧要求の要求元に提供する情報提供部と、を備える。【選択図】図４
2019219946.tif 000002
【特許請求の範囲】
【請求項１】
医療機関の情報を提供可能な医療機関情報提供システムであって、
医療機関特定情報と、前記医療機関が行った診療に関する診療実績情報と、前記診療実績情報に基づき算出された前記医療機関の傾向を示す指標情報と、を含む医療機関情報を保持する医療機関情報保持部と、
前記医療機関情報の閲覧要求を受け付ける閲覧要求受付部と、
前記医療機関情報保持部に保持されている前記医療機関情報の中から前記閲覧要求に基づいて特定される情報を前記閲覧要求の要求元に提供する情報提供部と、
を備える医療機関情報提供システム。
【請求項２】
前記情報提供部は、前記閲覧要求において傷病の名称が指定されたとき、前記医療機関が行った診療実績に関する指標情報を元に、前記傷病に対する治療を専門とする傾向が高い前記医療機関の前記医療機関特定情報を前記要求元に提供する、請求項１に記載の医療機関情報提供システム。
【請求項３】
前記情報提供部は、前記閲覧要求において医療機関が指定されたとき、前記医療機関の医療機関情報、及び前記医療機関と前記指標情報が類似する他の医療機関の医療機関情報を前記医療機関情報保持部から取得して前記閲覧要求の要求元に提供する、請求項１又は２に記載の医療機関情報提供システム。
【請求項４】
前記医療機関特定情報が医療機関の所在地に関する情報を含み、
前記情報提供部は、前記閲覧要求において医療機関が指定されたとき、前記医療機関から所定の範囲にある１以上の医療機関についての医療機関情報を前記医療機関情報保持部から取得して前記閲覧要求の要求元に提供する、請求項１又は２に記載の医療機関情報提供システム。
【請求項５】
前記指標情報は、前記医療機関における傷病名別の患者数、性別の患者数、年齢別の患者数、平均処方薬剤数、病床稼働率、平均在院日数、所定ベッド数当たりの患者数の少なくともいずれかを元に生成される情報を含む、請求項１から４のいずれか１項に記載の医療機関情報提供システム。
【請求項６】
前記指標情報は、前記医療機関における経営状態を示す経営状態情報を含む、請求項４または５に記載の医療機関情報提供システム。
【請求項７】
前記閲覧要求によって指定される閲覧内容を示す情報を記憶する閲覧内容記憶部を備え、
前記閲覧内容の提供要求を受け付ける閲覧内容要求受付部と、
前記提供要求に応じて、前記閲覧内容記憶部に記憶されている前記閲覧内容を、前記提供要求の要求元に提供する閲覧内容提供部と、
をさらに備える、請求項１から６のいずれか１項に記載の医療機関情報提供システム。
【請求項８】
医療機関の情報を提供可能な医療機関情報提供システムの制御方法であって、
前記医療機関情報提供システムが、
医療機関特定情報と、前記医療機関が行った診療に関する診療実績情報と、前記診療実績情報に基づき算出された前記医療機関の傾向を示す指標情報と、を含む医療機関情報を保持し、
前記医療機関情報の閲覧要求を受け付け、
前記医療機関情報の中から前記閲覧要求に基づいて特定される情報を前記閲覧要求の要求元に提供する、
医療機関情報提供システムの制御方法。
【請求項９】
コンピュータに、
医療機関の特定情報と、前記医療機関が行った診療に関する診療実績情報と、前記診療実績情報に基づき算出された前記医療機関の傾向を示す指標情報と、を含む医療機関情報を保持する機能と、
前記医療機関情報の閲覧要求を受け付ける機能と、
前記医療機関情報の中から前記閲覧要求に基づいて特定される情報を前記閲覧要求の要求元に提供する機能と、
を実現するためのプログラム。
【発明の詳細な説明】
【技術分野】
【０００１】
本発明は、医療機関情報提供装置、医療機関情報提供装置の制御方法及びプログラムに関する。
【背景技術】
【０００２】
保険診療を行った病院や診療所等の医療機関は、毎月、患者ごとにレセプトを作成し、保険者に診療報酬の請求を行っている。
【０００３】
レセプトには医療機関が患者に行った医療行為の内容や医療機関の所在地等、様々な情報が記載されており、近年これらのデータを活用して、医療費の適正化や医療サービスの質の向上等に役立てるための取組みや様々な技術開発が進められている（例えば特許文献１参照）。
【先行技術文献】
【特許文献】
【０００４】
【特許文献１】特開２０１２−０３２９２０号公報
【発明の概要】
【発明が解決しようとする課題】
【０００５】
しかしながらこれらの診療データは、全国あるいは各自治体における医療費の適正化や、医療行為の実態把握の調査等に活用されているが、例えば一般の患者や医療機関において活用ができれば、より有益である。
【０００６】
本発明はこのような課題を鑑みてなされたものであり、医療機関に関する有益な情報を提供することが可能な医療機関情報提供装置、医療機関情報提供装置の制御方法及びプログラムを提供することを目的とする。
【課題を解決するための手段】
【０００７】
本発明の一実施形態の医療機関情報提供システムは、医療機関の情報を提供可能な医療機関情報提供システムであって、医療機関特定情報と、前記医療機関が行った診療に関する診療実績情報と、前記診療実績情報に基づき算出された前記医療機関の傾向を示す指標情報と、を含む医療機関情報を保持する医療機関情報保持部と、前記医療機関情報の閲覧要求を受け付ける閲覧要求受付部と、前記医療機関情報保持部に保持されている前記医療機関情報の中から前記閲覧要求に基づいて特定される情報を前記閲覧要求の要求元に提供する情報提供部と、を備える。
【０００８】
その他、本願が開示する課題、及びその解決方法は、発明を実施するための形態の欄の記載、及び図面の記載等により明らかにされる。
【発明の効果】
【０００９】
これにより、医療機関に関する有益な情報を提供することができる。
【図面の簡単な説明】
【００１０】
【図１】本実施形態に係る医療機関情報提供システムを含む情報システムの全体構成図である。
【図２】本実施形態に係るユーザ端末のハードウェア構成を示す図である。
【図３】本実施形態に係る医療機関情報提供システムのハードウェア構成を示す図である。
【図４】本実施形態に係る医療機関情報提供システムの機能構成を示す図である。
【図５】本実施形態に係る医療機関情報提供システムの記憶装置を示す図である。
【図６】本実施形態に係る医療機関情報テーブルを示す図である。
【図７】本実施形態に係る医療機関テーブルを示す図である。
【図８】本実施形態に係る診療データテーブルを示す図である。
【図９】本実施形態に係る閲覧内容テーブルを示す図である。
【図１０】本実施形態に係るコメント定義テーブルを示す図である。
【図１１】本実施形態に係る処理の流れを示すフローチャートである。
【図１２】本実施形態に係る処理の流れを示すフローチャートである。
【図１３】本実施形態に係る検索画面例を示す図である。
【図１４】本実施形態に係る医療機関情報の出力例を示す図である。
【図１５】本実施形態に係る検索画面例を示す図である。
【図１６】本実施形態に係る医療機関情報の出力例を示す図である。
【図１７】本実施形態に係る検索画面例を示す図である。
【図１８】本実施形態に係る医療機関情報の出力例を示す図である。
【図１９】本実施形態に係る処理の流れを示すフローチャートである。
【図２０】本実施形態に係る閲覧内容の検索画面例を示す図である。
【図２１】本実施形態に係る閲覧内容の出力例を示す図である。
【発明を実施するための形態】
【００１１】
本明細書および添付図面の記載により、少なくとも以下の事項が明らかとなる。以下、本発明をその一実施形態に即して添付図面を参照しつつ説明する。
【００１２】
＝＝全体構成＝＝
図１に、本発明の一実施形態に係る医療機関情報提供システム３００及びユーザ端末１００を含む情報システム１０００を示す。医療機関情報提供システム３００は、インターネットやＬＡＮ（Local Area Network）、電話網等のネットワーク５００を通じてユーザ端末１００と通信可能に接続されている。
【００１３】
ユーザ端末１００は、病院や診療所等の医療機関や患者、患者の親族、ケアマネージャーなどのユーザが有する情報処理装置であり、スマートフォンや携帯電話機、ノートパソコン、タブレットなどの可搬型の情報処理端末、ユーザの自宅や医療機関などで使用されているパソコン等である。
【００１４】
医療機関情報提供システム３００は、詳細は後述するが、医療機関によって作成されたレセプト（診療報酬明細書）等の診療データに基づいて、各医療機関の傾向を示す指標情報を生成し、この医療機関の指標情報を医療機関の名称等の特定情報と対応付けて、医療機関情報として記憶している。
【００１５】
診療データは医療機関が行った診療実績が記載された情報である。そのため、この診療データを用いることで、その医療機関がどのような医療機関であるかを示す医療機関の指標情報を生成することができる。医療機関の指標情報は、例えば医療機関における傷病名別の患者数（延数でもよい。他の指標情報についても同様である。）や、年齢別の年間患者数、平均処方薬剤数、性別の年間患者数、病床稼働率（病床利用率でもよい）、平均在院日数、所定ベッド数あたりの患者数などである。
【００１６】
そして医療機関情報提供システム３００は、ユーザ端末１００から医療機関情報の閲覧要求を受信すると、閲覧要求によって指定された閲覧内容に応じた情報を医療機関情報から取得して、ユーザ端末１００に送信する。
【００１７】
例えば、患者が医療機関を探している場合に、例えば、都道府県名、市区町村名等の地域を特定する情報と共に特定の傷病名の患者数を閲覧内容として指定した閲覧要求をユーザ端末１００から医療機関情報提供システム３００に送信すると、医療機関情報提供システム３００は、その地域内の各医療機関の名称を、各医療機関における上記特定の傷病の患者数と共にユーザ端末１００に送信する。
【００１８】
これにより、この患者は自分の病気やけがの治療実績が豊富な医療機関を見つけることができ、医療機関を選択する際の参考にすることができる。
【００１９】
このように、本実施形態に係る医療機関情報提供システム３００によれば、診療データを活用したより有益な情報の提供が可能になる。
【００２０】
＝＝ユーザ端末の構成＝＝
まず、ユーザ端末１００について図２を参照しながら説明する。
【００２１】
ユーザ端末１００のハードウェア構成図の一例を図２に示す。本実施形態のユーザ端末１００は、ＣＰＵ（Central Processing Unit）１１０、メモリ１２０、通信装置１３０、記憶装置１４０、入力装置１５０、出力装置１６０、及び記録媒体読取装置１７０を備えて構成されるスマートフォンやパソコンなどの情報処理装置である。
【００２２】
記憶装置１４０は、ユーザ端末１００によって実行されるユーザ端末制御プログラム７１０等の各種のプログラムやデータを格納する。
【００２３】
記憶装置１４０に記憶されているユーザ端末制御プログラム７１０や各種のデータがメモリ１２０に読み出されてＣＰＵ１１０によって実行あるいは処理されることにより、ユーザ端末１００の各種機能が実現される。
【００２４】
ここで、記憶装置１４０は例えばハードディスクやＳＳＤ（Solid State Drive）、フラッシュメモリ等の不揮発性の記憶装置である。
【００２５】
記録媒体読取装置１７０は、ＳＤカード等の記録媒体８００に記録されたユーザ端末制御プログラム７１０やデータを読み取り、記憶装置１４０に格納する。
【００２６】
通信装置１３０は、ネットワーク５００を介して、医療機関情報提供システム３００や不図示の他のコンピュータと各種データやユーザ端末制御プログラム７１０の授受を行う。例えば他のコンピュータに上述したユーザ端末制御プログラム７１０やデータを格納しておき、ユーザ端末１００がこのコンピュータからユーザ端末制御プログラム７１０やデータをダウンロードするようにすることができる。
【００２７】
入力装置１５０は、ユーザによるコマンドやデータの入力を受け付ける各種ボタンやスイッチ、キーボード、タッチパネルディスプレイ上でのタッチ位置を検出するタッチセンサ、マイクなどの入力インタフェース、加速度センサ、温度センサ、ＧＰＳ受信機やコンパスなどの位置検出センサ、カメラなどである。
【００２８】
また出力装置１６０は、例えばディスプレイなどの表示装置、スピーカ、バイブレータ、照明などの出力ユーザインタフェースである。
【００２９】
＝＝医療機関情報提供システムの構成＝＝
続いて、医療機関情報提供システム３００の構成について図３〜図９を参照しながら説明する。
【００３０】
＜ハードウェア構成＞
医療機関情報提供システム３００のハードウェア構成図の一例を図３に示す。本実施形態に係る医療機関情報提供システム３００は、一例として、ＣＰＵ３１０、メモリ３２０、通信装置３３０、記憶装置３４０、入力装置３５０、出力装置３６０、及び記録媒体読取装置３７０を備えるコンピュータ等の情報処理装置により構成される。
【００３１】
記憶装置３４０は、医療機関情報提供システム３００によって実行される医療機関情報提供システム制御プログラム７００や、後述する医療機関情報テーブル６００、医療機関テーブル６１０、診療データテーブル６２０、閲覧内容テーブル６３０、コメント定義テーブル６４０等の各種のデータを格納する。
【００３２】
記憶装置３４０に記憶されている医療機関情報提供システム制御プログラム７００やデータがメモリ３２０に読み出されてＣＰＵ３１０によって実行あるいは処理されることにより、後述する医療機関情報提供システム３００の各種機能が実現される。
【００３３】
ここで、記憶装置３４０は例えばハードディスクドライブやＳＳＤのような不揮発性の記憶装置である。
【００３４】
記録媒体読取装置３７０は、ＣＤ−ＲＯＭやＤＶＤ、ＵＳＢ（登録商標）メモリ等の記録媒体８００に記録された医療機関情報提供システム制御プログラム７００や各種データを読み取り、記憶装置３４０に格納する。
【００３５】
通信装置３３０は、ネットワーク５００を介してユーザ端末１００等の他のコンピュータと各種データや医療機関情報提供システム制御プログラム７００の授受を行う。例えば他のコンピュータに、上述した医療機関情報提供システム制御プログラム７００やデータを格納しておき、医療機関情報提供システム３００がこのコンピュータからこれらのデータや医療機関情報提供システム制御プログラム７００をダウンロードするようにすることができる。
【００３６】
あるいは、医療機関情報テーブル６００、医療機関テーブル６１０、診療データテーブル６２０、閲覧内容テーブル６３０、コメント定義テーブル６４０をクラウド等の他のコンピュータに構築するようにしても良い。
【００３７】
入力装置３５０は、例えばキーボードやマウスなどの入力ユーザインタフェースである。また出力装置３６０は、例えばディスプレイやプリンタなどの出力ユーザインタフェースである。
【００３８】
なお医療機関情報提供システム３００は、１台のコンピュータによって実現されても良いし、相互に通信可能に接続された複数台のコンピュータによって実現されても良い。
【００３９】
＜機能構成＞
次に医療機関情報提供システム３００の機能構成図の一例を図４に示す。本実施形態に係る医療機関情報提供システム３００は、医療機関情報保持部３０１、閲覧要求受付部３０２、情報提供部３０３、閲覧内容記憶部３０４、閲覧内容要求受付部３０５、閲覧内容提供部３０６の各機能を含む。
【００４０】
これらの各機能は、医療機関情報提供システム３００のハードウェアによって本実施形態に係る医療機関情報提供システム制御プログラム７００が実行されることにより実現される。
【００４１】
医療機関情報保持部３０１は、医療機関の名称や識別コード等の医療機関を一意に特定可能な医療機関特定情報と、医療機関が行った診療に関する診療実績情報と、診療実績情報に基づいて算出された医療機関の傾向を示す指標情報と、を含む医療機関情報を保持する。
【００４２】
本実施形態では、医療機関情報保持部３０１は、図６〜図８、及び図１０に示す医療機関情報テーブル６００、医療機関テーブル６１０、診療データテーブル６２０、及びコメント定義テーブル６４０によって具現化されている。
【００４３】
図６に示す医療機関情報テーブル６００には、医療機関特定情報としての医療機関コードと対応付けて、例えば、その医療機関の傷病名別の患者延数、男性患者延数、女性患者延数、年齢別の患者延数、平均処方薬剤数、病床稼働率、平均在院日数、所定ベッド（例えば１床）あたりの一日平均入院患者数、コメントが、医療機関の傾向を示す指標情報として記憶されている。
【００４４】
これらの指標情報は、医療機関テーブル６１０や診療データテーブル６２０、コメント定義テーブル６４０に記載されている情報を用いて生成される。もちろん図６に示した医療機関の指標情報は一例であり、この他にも様々な情報を含めることができる。
【００４５】
例えば、指標情報は、医療機関における経営状態を示す経営状態情報を含んでも良い。経営状態情報は、例えば１か月間の診察室あたりの診療点数、医師ごとの時間あたりの診療点数などから算出される。経営状態情報は、そのままの数値でもよく、何かの基準に基づいて得られた評価（例えば医療機関の規模等に応じた係数を乗じて得た数値、偏差値、段階別評価（A〜E）等）でもよい。
【００４６】
図７に示す医療機関テーブル６１０には、医療機関コード、医療機関の名称、ベッド数、診療科目、所在地、及びウェブページのＵＲＬが記憶されている。医療機関テーブル６１０に記憶されるこれらの情報は、医療機関に設置されているユーザ端末１００から医療機関の職員等のユーザによって入力される。なお、また、所在地を示す地理的な情報として、都道府県、市区町村等のほか、最寄りの駅名、学校・商店等の施設の情報を含んでもよい。
【００４７】
図８に示す診療データテーブル６２０には、医療機関が行った診療に関する診療実績情報であるレセプトに記載のデータ、またはレセプト記載のものに類するデータ（本明細書においてはあわせて診療データという）が記憶されている。
【００４８】
レセプトには、周知のとおり、医療機関の名称や所在地、医療機関コード等の医療機関の特定情報や、患者の氏名、性別、生年月日、保険者番号等の患者の特定情報が記載されている。またレセプトには、患者の傷病名、診療開始日、診療実日数、医療機関が患者に行った医療行為の内容、医療機関が患者に処方した薬剤名や量、医療機関が行った検査内容などが記載されている。
【００４９】
なお、診療データテーブル６２０には患者の氏名や生年月日、傷病名などの個人情報が記憶されているが、これらの個人情報の保護をより確実にするために、診療データテーブル６２０は、医療機関情報テーブル６００や医療機関テーブル６１０とは別に、よりセキュリティレベルの高い記憶手段に記憶することが好ましい。また、診療データは、レセプトそのものから個人情報を削除する、匿名化する等、個人が特定できないような処理を施した上で、本システムに利用可能なよう記憶されることが好ましい。これにより、診療データを安全に利用することができる。
【００５０】
また図１０に示すコメント定義テーブル６４０には、医療機関情報テーブル６００に記憶されている各指標情報を元に生成されるコメント等の情報が記憶されている。
【００５１】
コメント定義テーブル６４０の「指標情報の傾向」欄に記載された条件に該当する指標情報が医療機関情報テーブル６００に記載された医療機関に対して、コメント定義テーブル６４０の「コメント」欄に記載された内容が、医療機関情報テーブル６００のコメント欄に記載される。図１０に示す例によれば、糖尿病の患者数が所定値以上である医療機関に対しては、医療機関情報テーブル６００のコメント欄に「糖尿病の患者が多い病院です。」というコメントが記載される。
【００５２】
図４に戻って、閲覧要求受付部３０２は、ユーザ端末１００から医療機関情報の閲覧要求を受け付ける。この閲覧要求には、ユーザがどのような医療機関情報を閲覧したいかを示す閲覧内容が指定されている。
【００５３】
そして情報提供部３０３は、医療機関情報保持部３０１に保持されている医療機関情報の中から閲覧要求に基づいて特定される情報を、閲覧要求の要求元のユーザ端末１００に提供する。
【００５４】
このように、ユーザ端末１００から送信される閲覧要求に基づいて特定される情報を閲覧要求の送信元に提供することで、診療データを活用したより有益な情報を提供することが可能となる。
【００５５】
例えば情報提供部３０３は、閲覧要求において傷病の名称が指定されたときには、医療機関が行った診療実績に関する指標情報を元に、この傷病に対する治療を専門とする傾向が高い医療機関の医療機関特定情報を要求元のユーザ端末１００に提供するようにすることができる。より具体的には、情報提供部３０３は、医療機関情報保持部３０１に保持されている医療機関情報を用いてこの傷病の患者数や患者の割合を算出し、これらの値の両方あるいは一方が所定値以上の医療機関を抽出してユーザ端末１００に送信する。
【００５６】
このような態様により、患者は、自らが罹患している傷病の治療経験がより豊富な医療機関を探し出すことが可能となる。また、医療機関が複数の診療科目を標榜している場合、当該医療機関においていずれの診療科目が専門であるかを把握することが可能になる。例えば、内科・小児科を標榜する医療機関について、実際には乳幼児の来院はほとんどない等の情報は、通常、ユーザには取得が困難である。しかし、本実施形態に基づけば、ユーザはそのような情報を取得することが可能となる。これにより、ユーザ所望の治療を受けやすい医療機関を選択しやすくなる。
【００５７】
また、閲覧要求について、治療の内容や投薬の状況等が指定された場合には、当該医療機関が、どのような治療を行う傾向が高いかについて把握することができる。これにより、ユーザは所望の治療を受けやすい医療機関を選択しやすくなる。
【００５８】
あるいは情報提供部３０３は、閲覧要求において医療機関が指定されたときには、この医療機関の医療機関情報だけでなく、この医療機関と指標情報が類似する他の医療機関の医療機関情報を医療機関情報保持部３０１から取得して、閲覧要求の要求元であるユーザ端末１００に提供するようにしても良い。
【００５９】
指標情報が類似するとは、たとえば、比較対象の第１医療機関と第２医療機関について、特定の指標情報の値の差が所定値以下の場合に指標情報が類似するとしても良いし、複数の指標情報の差の二乗和が所定値以下の場合に指標情報が類似するとしても良い。
【００６０】
このような態様により、患者は、指定した医療機関と同様の医療サービスを受け得る複数の医療機関を比較することができ、患者にとってより好適な医療機関を選択することが可能となる。
【００６１】
また情報提供部３０３は、閲覧要求において医療機関が指定された場合に、この医療機関から所定の範囲にある一つ以上の医療機関の医療機関情報を医療機関情報保持部３０１から取得して、閲覧要求の要求元であるユーザ端末１００に提供するようにしても良い。例えば、情報提供部３０３は、指定された医療機関から所定距離（例えば１ｋｍ）の範囲内にある各医療機関の医療機関情報を提供するようにしても良い。
【００６２】
また、情報提供部３０３は、閲覧要求において特定の地点が指定された場合に、この地点から所定の範囲にある一つ以上の医療機関の医療機関情報を医療機関情報保持部３０１から取得して、閲覧要求の要求元であるユーザ端末１００に提供するようにしても良い。例えば、情報提供部３０３は、指定された最寄り駅から所定距離（例えば１ｋｍまたは徒歩で５分）の範囲内にある各医療機関の医療機関情報を提供するようにしても良い。
【００６３】
このような態様により、ユーザは近隣の複数の医療機関を比較することができ、自分に相応しい医療機関を見つけることが可能となる。例えばユーザが他の地域から引っ越してきたばかりで近所にどのような医療機関があるのか良く知らない場合であっても、医療機関を探し出すことが可能となる。
【００６４】
次に閲覧内容記憶部３０４について説明する。閲覧内容記憶部３０４は、ユーザ端末１００から送信される閲覧要求において指定される医療機関情報の閲覧内容を示す情報を記憶する。閲覧内容は、医療機関情報に基づいた情報であればよく、例えば、上述した傷病の名称や医療機関の特定情報だけでなく、医療機関の所在地や地域、あるいは指標情報を示す項目名などとすることができる。
【００６５】
閲覧内容記憶部３０４は、本実施形態では図９に示す閲覧内容テーブル６３０によって具現化されている。
【００６６】
閲覧内容テーブル６３０には、医療機関情報提供システム３００が閲覧要求を受け付けた日時を示す情報と、その閲覧要求において指定された医療機関情報の検索条件（医療機関情報の閲覧内容を示す情報）が記憶されている。
【００６７】
例えば図９に示す２０１８年４月１５日１２時８分１秒に受け付けられた閲覧要求は、「青森県○○市」内の各医療機関の「年間男性患者延数」及び「年間女性患者延数」を閲覧内容とすることが示されている。
【００６８】
図４に戻って、閲覧内容要求受付部３０５及び閲覧内容提供部３０６について説明する。
【００６９】
閲覧内容要求受付部３０５は、ユーザ端末１００から閲覧内容の提供要求を受け付ける。そして閲覧内容提供部３０６は、閲覧内容の提供要求に応じて、閲覧内容記憶部３０４に記憶されている閲覧内容を提供要求の要求元のユーザ端末１００に提供する。
【００７０】
このような態様により、例えば医療機関や経営コンサルタント等が閲覧内容の提供を受けた場合には、この医療機関は患者や他の医療機関がどのようなキーワードで医療機関情報を検索しているかを知ることができ、医療機関の経営や広告等に役立てることが可能となる。
【００７１】
なお、閲覧要求（検索）を行うユーザにユーザ登録を行わせる等して、年齢、性別、住所、家族構成等のユーザの属性情報を取得しておくことで、どのような属性のユーザがどのような閲覧要求を行い、医療機関情報を検索および閲覧しているか知ることができ、医療機関の経営や広告等に役立てることが可能となる。また、検索結果のクリック数や当該システムと医療機関の診療の予約システムが連携している場合には、予約システムへの誘導率等のデータをあわせて提供することで、より詳細に医療機関の経営や広告等に役立てることが可能となる。
【００７２】
＝＝具体例＝＝
次に、本実施形態に係る医療機関情報提供システム３００による処理の具体例を、図１１〜図２１を参照しながら説明する。
【００７３】
[診療データの登録、医療機関情報の生成]
まず図１１に示すフローチャートを参照しながら、診療データの登録、及び医療機関情報の生成を行う際の処理の一例を説明する。
【００７４】
まず、診療データを登録する医療機関は、ユーザ端末１００上でユーザ端末制御プログラム７１０を起動し、事前に医療機関情報提供システム３００に登録したアカウントＩＤ及びログインパスワードを用いて、医療機関情報提供システム３００にログインする（S1000）。
【００７５】
そして医療機関のユーザ端末１００は、診療データを医療機関情報提供システム３００に送信する（S1010）。医療機関情報提供システム３００は、ユーザ端末１００から診療データを受信すると、この診療データを診療データテーブル６２０に記憶する（S1020）。例えば医療機関は、毎月レセプトを作成する毎に、診療データの登録処理を行う。
【００７６】
続いて医療機関情報提供システム３００は、その医療機関についての過去所定期間（例えば直近の１年間）の診療データテーブル６２０、医療機関テーブル６１０及びコメント定義テーブル６３０の記載内容を元に、所定の医療機関情報を生成する（S1030）。
【００７７】
本実施形態では、医療機関情報提供システム３００は、医療機関における傷病名別の患者延数、性別の患者延数、年齢別の患者延数、平均処方薬剤数、病床稼働率、平均在院日数、１床数当たりの患者延数を算出する。そして医療機関情報提供システム３００は、これらの情報を、該当するコメント共に医療機関情報テーブル６００に保存する（S1030）。
【００７８】
なお医療機関は、図７の医療機関テーブル６１０に記録される医療機関に関する情報を登録していない場合や、登録内容に変更があった場合には、これらの情報を医療機関情報提供システム３００に送信することで、登録あるいは変更することができる。
【００７９】
なお、コメントを生成する場合、医療法における病院等の広告規制等の各種規制（法令またはガイドライン等）に適合した表現で生成することが好ましい。これは、例えば、あらかじめ規制に適合した定型文の表現をしておくことや、特定の表現が含まれると判断された場合にはアラートを出す処理を設定する等で実現することができる。これにより、より容易かつ適切に医療機関の情報を提供することができる。
【００８０】
[医療機関情報の提供]
次に、図１２〜図１８を参照しながら、医療機関情報提供システム３００がユーザに医療機関情報を提供する際の処理を説明する。
【００８１】
図１２は、医療機関情報提供システム３００が、ユーザ端末１００から医療機関情報の閲覧要求を受信し、閲覧要求に応じた医療機関情報をユーザ端末１００に送信する際の処理の流れを示すフローチャートである。
【００８２】
まずユーザは、所定のアカウントＩＤ及びログインパスワードを用いて医療機関情報提供システム３００にログインする（S2000）。
【００８３】
そしてユーザ端末１００は医療機関情報提供システム３００に対して、閲覧内容を指定した閲覧要求を送信する（S2010）。
【００８４】
例えば図１３は、ユーザ端末１００に表示される画面を示すが、ユーザは、この画面において検索条件を入力することによって、医療機関情報提供システム３００から取得する医療機関情報を指定することができる。図１３に示す例では、ユーザは「青森県○○市」内の各医療機関の「年間男性患者延数」及び「年間女性患者延数」を医療機関情報として取得することを指定している。
【００８５】
そして図１３に示す画面でユーザが「検索実行」と表示された部分をマウスでクリックすると、ユーザ端末１００から医療機関情報提供システム３００に閲覧要求が送信される。
【００８６】
そうすると、医療機関情報提供システム３００は、図１２のS2020に示す様に、医療機関テーブル６１０、及び医療機関情報テーブル６００を参照し、閲覧要求によって指定された医療機関情報を取得し（S2020）、ユーザ端末１００に送信する（S2030）。このようにしてユーザ端末１００に送信された医療機関情報の一覧を図１４に示す。
【００８７】
また図１５に示す画面は、傷病名として「糖尿病」を指定する場合の例であり、「青森県○○市」内の各医療機関について「糖尿病」に関する医療機関情報を取得することが指定されている。
【００８８】
そしてこの場合、医療機関情報提供システム３００は、図１６に示す様に、「青森県○○市」内の各医療機関について「年間糖尿病患者数」と「年間糖尿病患者の比率」を医療機関情報として生成し、ユーザ端末１００に送信する。なお年間糖尿病患者の比率は、その医療機関における年間の患者数の内の糖尿病の患者の割合を示す。
【００８９】
また図１７に示す画面では、医療機関名を指定すると共に、その医療機関の「病床稼働率」「平均在院日数」「１床あたりの一日平均入院患者数」を医療機関情報として取得することが指定されている。また図１７では「周辺病院も検索」欄が選択されている。そのため、図１７に示す例では、指定されたＳ病院だけでなくＳ病院から所定範囲内（例えば半径１ｋｍ以内）にある１以上の病院についての「病床稼働率」「平均在院日数」「１床あたりの一日平均入院患者数」を医療機関情報として取得することが指定されている。
【００９０】
そしてこの場合ユーザは、図１８に示す様に、「千葉県○○市」のＳ病院から所定範囲内にある各医療機関について「病床稼働率」「平均在院日数」「１床あたりの一日平均入院患者数」を医療機関情報として取得することができる。これにより、ユーザが患者本人である場合には、医療機関の入院に対する傾向（長期入院を認める傾向にあるか）を把握することができる。また、ユーザが患者以外の者（例えば医療機関や経営コンサルタント）である場合、当該医療機関が立地や診療科目が類似した医療機関との経営情報の比較が可能となり、経営の改善に利用することができる。
【００９１】
なお、図１７において「周辺病院も検索」欄が選択されていない場合には、医療機関情報提供システム３００は、閲覧要求で指定された医療機関（Ｓ病院）の医療機関情報のみをユーザ端末１００に送信する。
【００９２】
[閲覧内容の提供]
次に、図１９〜図２１を参照しながら、医療機関情報提供システム３００が閲覧内容を提供する際の処理を説明する。
【００９３】
図１９は、医療機関情報提供システム３００が、ユーザ端末１００から閲覧内容の提供要求を受信し、閲覧内容をユーザ端末１００に送信する際の処理の流れを示すフローチャートである。
【００９４】
まずユーザは、所定のアカウントＩＤ及びログインパスワードを用いて医療機関情報提供システム３００にログインする（S3000）。
【００９５】
そしてユーザ端末１００は医療機関情報提供システム３００に対して、閲覧内容の提供要求を送信する（S3010）。
【００９６】
例えば図２０は、ユーザ端末１００に表示される画面を示すが、ユーザは、この画面に所定の情報を入力することによって、医療機関情報提供システム３００から取得する閲覧内容を指定することができる。図２０に示す例では、ユーザは、2018年1月1日から2018年4月30日までの間に医療機関情報提供システム３００に送信された閲覧要求の内、「東京」、「千葉」、「神奈川」のいずれかと「病床稼働率」が指定されたものを閲覧内容テーブル６３０から取得することを示している。
【００９７】
そして図２０に示す画面でユーザが「表示」と表示された部分をマウスでクリックすると、ユーザ端末１００から医療機関情報提供システム３００に閲覧内容の提供要求が送信される。
【００９８】
そうすると、医療機関情報提供システム３００は、閲覧内容の提供要求に該当する閲覧内容を閲覧内容テーブル６３０から取得して（S3020）、ユーザ端末１００に送信する（S3030）。
【００９９】
このようにしてユーザ端末１００に送信された閲覧内容の一覧を図２１に示す。
【０１００】
このような態様により、例えば医療機関が閲覧内容の提供要求を送信した場合には、この医療機関は患者や他の医療機関がどのようなキーワードや条件で医療機関情報を検索しているかを知ることができ、自らの経営に役立てることが可能となる。
【０１０１】
以上、本実施形態に係る医療機関情報提供システム３００について説明したが、本実施形態に係る医療機関情報提供システム３００によれば、診療データを活用したより有益な情報を提供することが可能となる。
【０１０２】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【０１０３】
１００    ユーザ端末
１１０    ＣＰＵ
１２０    メモリ
１３０    通信装置
１４０    記憶装置
１５０    入力装置
１６０    出力装置
１７０    記録媒体読取装置
３００    医療機関情報提供システム
３０１    医療機関情報保持部
３０２    閲覧要求受付部
３０３    情報提供部
３０４    閲覧内容記憶部
３０５    閲覧内容要求受付部
３０６    閲覧内容提供部
３１０    ＣＰＵ
３２０    メモリ
３３０    通信装置
３４０    記憶装置
３５０    入力装置
３６０    出力装置
３７０    記録媒体読取装置
５００    ネットワーク
６００    医療機関情報テーブル
６１０    医療機関テーブル
６２０    診療データテーブル
６３０    閲覧内容テーブル
６４０    コメント定義テーブル
７００    医療機関情報提供システム制御プログラム
７１０    ユーザ端末制御プログラム
８００    記録媒体
１０００  情報システム
【図１】
2019219946.tif 000003
【図２】
2019219946.tif 000004
【図３】
2019219946.tif 000005
【図４】
2019219946.tif 000006
【図５】
2019219946.tif 000007
【図６】
2019219946.tif 000008
【図７】
2019219946.tif 000009
【図８】
2019219946.tif 000010
【図９】
2019219946.tif 000011
【図１０】
2019219946.tif 000012
【図１１】
2019219946.tif 000013
【図１２】
2019219946.tif 000014
【図１３】
2019219946.tif 000015
【図１４】
2019219946.tif 000016
【図１５】
2019219946.tif 000017
【図１６】
2019219946.tif 000018
【図１７】
2019219946.tif 000019
【図１８】
2019219946.tif 000020
【図１９】
2019219946.tif 000021
【図２０】
2019219946.tif 000022
【図２１】
2019219946.tif 000023